(57)【特許請求の範囲】
【請求項１】
シャッターカーテンが出入口等の開口部の開閉昇降する建築用シャッター装置において、該シャッターカーテンに、操作具操作によりラッチバーが左右方向に移動して該ラッチバー先端のラッチがガイドレールに設けたラッチ受けに係脱自在に係止して施錠をするラッチ錠を設けるにあたり、
前記ラッチバーは、シャッターカーテンに設けられた案内溝に左右方向摺動自在に内嵌するものであり、
該ラッチバーに、遊嵌状に外嵌した緩衝材を収縮させて案内溝の内面に摺接するよう密着状に外嵌せしめて異音発生防止をしていることを特徴とする建築用シャッター装置におけるラッチ錠。
【請求項２】
緩衝材は、熱収縮材であることを特徴とする請求項１記載の建築用シャッター装置におけるラッチ錠。
【請求項３】
熱収縮材は、点在される状態で複数設けられていることを特徴とする請求項１または２記載の建築用シャッター装置におけるラッチ錠。
【請求項４】
熱収縮材は熱収縮チューブであることを特徴とする請求項２または３記載の建築用シャッター装置におけるラッチ錠。
【請求項５】
シャッターカーテンが出入口等の開口部の開閉昇降する建築用シャッター装置において、該シャッターカーテンに、操作具操作によりラッチバーが左右方向に移動して該ラッチバー先端のラッチがガイドレールに設けたラッチ受けに係脱自在に係止して施錠をするラッチ錠を設けるにあたり、
前記ラッチバーは、シャッターカーテンに設けられた案内溝に左右方向摺動自在に内嵌するものであり、
該ラッチバーに、緩衝材を遊嵌状に外嵌した後、該緩衝材を収縮させて案内溝の内面に摺接するようラッチバーに密着状に外嵌せしめて異音発生防止をするようにしたことを特徴とする建築用シャッター装置におけるラッチ錠組立て方法。
【発明の詳細な説明】
【技術分野】
【０００１】
本発明は、建造物の出入り口等の開口部に建て付けられる建築用シャッター装置におけるラッチ錠およびラッチ錠の組立て方法の技術分野に関するものである。
【背景技術】
【０００２】
今日、出入口等の開口部にシャッターカーテンが昇降することで開口部の開閉をするための建築用シャッター装置が建て付けられることがあるが、このものにおいて、シャッターカーテンが閉鎖した状態でシャッターカーテンが不用意に上昇されないようラッチ錠が設けられることがある。このようなラッチ錠として、座板スラットの屋内側面にラッチバーを、錠操作具（錠操作レバー）の操作により左右方向に突出移動させ、これによりラッチバーの先端部に設けたラッチが、ガイドレールに設けたラッチ受けに下側から係止する構成にしてシャッターカーテンの上昇ができないようにしている（例えば特許文献１参照）。ところでこのものは、座板スラットの屋内側面に、屋内側が開口したＣ型の案内溝を形成し、この案内溝にラッチバーを内装する構成にし、この場合に、風等が吹いた場合に、ラッチバーが案内溝の溝底に当たって発生する不快な衝突音を、ラッチバーをＣ型にして案内溝に対するラッチバーの接触面積を小さくすることにより低減させるように配慮している。しかるにこのものは、ラッチバーと溝底面との接触面積は小さくなるものの依然として接触部はあるため、衝突音の発生を効率よくなくすことはできないという問題がある。
これに対しラッチバーのスラット側面に緩衝部材を設けて、ラッチバーとスラットとの直接的な衝突を回避するようにしたものが提唱されている（例えば特許文献２参照）。
【先行技術文献】
【特許文献】
【０００３】
【特許文献１】特許第４７７３１６４号公報
【特許文献２】特許第５０５８５０２号公報
【発明の概要】
【発明が解決しようとする課題】
【０００４】
ところがこのものは、緩衝部材に、ラッチバーに設けたリップ部を食い込ませると共に、緩衝部材とラッチバーとを接着剤で接着させることにより緩衝部材が不用意に移動したり外れたりすることを防止するようにしていたが、リップ部を食い込ませる作業や接着剤による接着作業が必要になって作業性が悪いうえ、シャッターカーテンの開閉時や風を受けての振動や接着剤の劣化により接着剤が剥がれてしまって耐久性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シャッターカーテンが出入口等の開口部の開閉昇降する建築用シャッター装置において、該シャッターカーテンに、操作具操作によりラッチバーが左右方向に移動して該ラッチバー先端のラッチがガイドレールに設けたラッチ受けに係脱自在に係止して施錠をするラッチ錠を設けるにあたり、前記ラッチバーは、シャッターカーテンに設けられた案内溝に左右方向摺動自在に内嵌するものであり、該ラッチバーに、遊嵌状に外嵌した緩衝材を収縮させて案内溝の内面に摺接するよう密着状に外嵌せしめて異音発生防止をしていることを特徴とする建築用シャッター装置におけるラッチ錠である。
請求項２の発明は、緩衝材は、熱収縮材であることを特徴とする請求項１記載の建築用シャッター装置におけるラッチ錠である。
請求項３の発明は、熱収縮材は、点在される状態で複数設けられていることを特徴とする請求項１または２記載の建築用シャッター装置におけるラッチ錠である。
請求項４の発明は、熱収縮材は熱収縮チューブであることを特徴とする請求項２または３記載の建築用シャッター装置におけるラッチ錠である。
請求項５の発明は、シャッターカーテンが出入口等の開口部の開閉昇降する建築用シャッター装置において、該シャッターカーテンに、操作具操作によりラッチバーが左右方向に移動して該ラッチバー先端のラッチがガイドレールに設けたラッチ受けに係脱自在に係止して施錠をするラッチ錠を設けるにあたり、前記ラッチバーは、シャッターカーテンに設けられた案内溝に左右方向摺動自在に内嵌するものであり、該ラッチバーに、緩衝材を遊嵌状に外嵌した後、該緩衝材を収縮させて案内溝の内面に摺接するようラッチバーに密着状に外嵌せしめて異音発生防止をするようにしたことを特徴とする建築用シャッター装置におけるラッチ錠組立て方法である。
【発明の効果】
【０００６】
請求項１または５の発明とすることにより、ラッチバーがシャッターカーテンに衝接することにより発生する異音を、ラッチバーに簡単に密着する状態で外嵌取付けされる緩衝材によって防止することができる。
請求項２の発明とすることにより、緩衝材が熱収縮材であることになって、緩衝材のラッチバーへの外嵌および密着させることが容易になる。
請求項３の発明とすることにより、熱収縮材の使用量を低減してコストダウンを図ることができる。
請求項４の発明とすることにより、熱収縮材を熱収縮チューブとすることによりラッチバーの全周が熱収縮チュ−ブに外嵌されるため異音発生を効率よく低減できることになる。
【図面の簡単な説明】
【０００７】
【図１】シャッター装置の正面図である。
【図２】シャッターカーテンの要部背面図である。
【図３】シャッターカーテンの要部側面図である。
【図４】ラッチバーの正面図である。
【図５】熱収縮チューブの収縮前後を示す作用説明図である。
【発明を実施するための形態】
【０００８】
以下、本発明の実施の形態について、図面に基づいて説明する。図面において、１はシャッターカーテンであって、該シャッターカーテン１は、天井部に設けた巻取りドラム２に巻装され、開口部の左右に設けたガイドレール３に案内されて開閉昇降すること等は何れも従来通りである。
【０００９】
シャッターカーテン１の最下端に設けられる座板（座板スラット）４に、本発明が実施されたラッチ錠５が設けられるが、該ラッチ錠５は、座板４に取付けられる操作レバー（操作具）６と、該操作レバー６に連動連結され、操作レバー６の操作により左右方向に移動するラッチバー７と、該ラッチバー７の先端に設けられ、シャッターカーテン１の全閉状態で操作レバー６を施錠位置に操作したとき、ガイドレール３に設けたラッチ受け（ラッチ係り）８に係止してシャッターカーテン１の開放移動を禁止するラッチ９とを備えて構成されている。尚、ラッチバー７とラッチ９とは一体であっても別体であってもよい。
そして前記ラッチバー７は、座板４の屋内側面に設けられ、屋内側が開口した案内溝１０に摺動自在に内嵌しているが、本実施の形態では案内溝１０の溝底側が開口したＣ型の型材により形成されている。
【００１０】
前記ラッチバー７には、適間隔を存して点在する状態で熱収縮チューブ１１の熱収縮したものが密着状に外嵌されている。熱収縮チューブ１１は、熱収縮以前の状態ではラッチバー７を遊嵌状に外嵌する寸法設定になっており、この熱収縮以前の熱収縮チューブ１１をラッチバー７に遊嵌状に外嵌し、ヒーター等の加熱具１２で熱収縮チューブ１１を加熱することにより該熱収縮チューブ１１が熱収縮をしてラッチバー７に密着状に外嵌するようになっており、これによって案内溝１０の溝面に対し熱収縮チューブ１１が直接当接（摺接）することになって金属接触による異音発生を防止するようになっている。この場合に、熱収縮チューブ１１は、緩衝材となってラッチバー７の全周に密着状に外嵌するから、ラッチバー７の表面に対して均等（平滑）かつ滑りづらいものになって取付けられると共に、案内溝１０の全内周面に当接できるものになるため、異音発生を一段と効率よく防止できることになる。
尚、熱収縮チューブ１１は、材料としてポリオレフィン系、フッ素樹脂系、シリコーン樹脂系、ポリ塩化ビニル系等の樹脂材からなり、難燃性（耐火性）に優れたものを採用することが好ましい。
【００１１】
叙述の如く構成された本実施の形態において、シャッターカーテン１の昇降により開口部の開閉ができるがシャッターカーテン１が全閉の状態において操作レバー６を施錠位置に操作すると、ラッチバー７が左右方向外方に移動し、これによりラッチ９がラッチ受け８に下側から係合することになって施錠されることになる。
【００１２】
このようにラッチバー７が案内溝１０内において左右に移動することになるが、ラッチバー７には熱収縮した熱収縮チューブ１１が密着しているから、例えばラッチバー７が前後に振れたとして、案内溝１０の溝面に当接するものは熱収縮チューブ１１であるため、不快な異音（金属音）が発生することはなく、静粛なものになる。
【００１３】
しかも熱収縮チューブ１１は、熱収縮以前の状態ではラッチバー７に遊嵌状に外嵌するものであるため、外嵌作業が簡単で、しかも加熱具１２による加熱処理でラッチバー７に密着する状態に収縮するから、熱収縮チューブ１１ｋ組付け作業も簡単になる。
【００１４】
そのうえ熱収縮チューブ１１は、点在する状態でラッチバー７に複数設けられているから、全長に亘って設ける場合に比して短いものにできてコストダウンを図ることができる。
しかも熱収縮チューブ１１は、ラッチバー７を外した状態で取付けることができるから、既存のものに後付けで取付けることができ、また損耗した場合に交換取り付けを簡単にすることができる。
【００１５】
尚、本発明は前記実施の形態に限定されるものでなく、ラッチ錠としては、座板でなく、上下方向中間のスラットに設けたものとしても実施することができる。
また緩衝材としては熱収縮材に限定されず、例えばゴム質弾性を有したものであってもよく、この場合、緩衝材は、ゴム質弾性に抗して強制的に拡開したものを遊嵌させた後、拡開を解除することで収縮させて密着することになる。
さらに緩衝材が熱収縮材である場合、チューブに限定されず、Ｃ字形にしたもの等、熱収縮して密着状に外嵌するものであれば特に形状は限定されない。
緩衝材としては、内面に接着剤が塗布されたものとしてもよく、このようにすることで緩衝材の不用意な移動がより阻止されることになる。また緩衝材は、表面に滑り性があるものとさらに良い。
さらに、前記実施の形態では案内溝にラッチバーが左右移動自在に内嵌したものについて説明したが、これに限定されるものでなく、スラットにＣ字形をしたラッチバンドを左右に適間隔を存して点在するように取付け、該ラッチバンドにラッチバーを左右方向移動自在にガイドさせるようにしたものにも取り付けることができ、この場合、熱収縮材としては、ラッチバンドのある部位及びない部位の何れにも取付けることができる。
【産業上の利用可能性】
【００１６】
本発明は、出入口等の開口部に設けられる建築用シャッター装置の異音発生が防止されたラッチ錠として利用することができる。
【符号の説明】
【００１７】
１  シャッターカーテン
２  巻取りドラム
３  ガイドレール
４  座板
５  ラッチ錠
６  操作レバー
７  ラッチバー
８  ラッチ受け
９  ラッチ
１０  案内溝
１１  熱収縮チューブ
【図１】
0006640537.tif 000002
【図２】
0006640537.tif 000003
【図３】
0006640537.tif 000004
【図４】
0006640537.tif 000005
【図５】
0006640537.tif 000006